(57)【要約】【課題】指針発光における斬新な演出等が可能な表示装置を提供する。【解決手段】表示装置は、短針部および短針部よりも径方向外側まで延伸する長針部を有し回転軸線周りに回転する指針を備える。表示装置は、短針部を発光させる照明光を射出する内周光源５３と、長針部を発光させる照明光を射出する軸部光源５２と、内周光源５３および軸部光源５２の照明制御を行う制御部５０ａとを備える。制御部５０ａは、長針部の発光に先行して短針部の発光を実行し、短針部の発光の実行から遅延して長針部の発光を実行する起動遅延部５０ａ２を有する。【選択図】図１１
2020016539.tif 000002
【特許請求の範囲】
【請求項１】
回転軸線（Ｒａ）周りに回転する指針であって、照明光により発光する短針部（１４；２１４）および前記短針部よりも径方向外側まで延伸するように形成されて照明光により発光する長針部（１５；２１５）を有する指針（１００）と、
前記短針部を発光させる照明光および前記長針部を発光させる照明光を射出する光源部（５２ａ）と、
前記光源部の照明制御を行う制御部（５０ａ）と、
を備え、
前記制御部は、
前記長針部の発光に先行して前記短針部の発光を実行し、前記短針部の発光の実行から遅延して前記長針部の発光を実行する起動遅延部（５０ａ２）を有する表示装置。
【請求項２】
前記光源部は、
前記短針部を発光させる照明光を射出する短針光源（５３）と、
前記長針部を発光させる照明光を射出する長針光源（５２）と、
を有し、
前記起動遅延部は、
車両が起動した場合に、前記短針光源の点灯を実行し、前記短針光源の点灯の実行から遅延して前記長針光源の点灯を実行する請求項１に記載の表示装置。
【請求項３】
照明光によって発光し前記指針によって指示される指標部（２１）が形成された表示板（２０）と、
前記指標部を発光させる照明光を射出する表示光源（５４）と、
を備え、
前記起動遅延部は、
前記長針部の発光の実行から遅延して前記表示光源の点灯を実行する請求項１または請求項２に記載の表示装置。
【請求項４】
前記制御部は、
車両の起動状態が終了した場合に、前記長針部の発光停止を実行し、前記長針部の発光停止の実行から遅延して前記短針部の発光停止を実行する終了遅延部（５０ａ４）を有する請求項１または請求項２に記載の表示装置。
【請求項５】
照明光によって発光し前記指針によって指示される指標部（２１）が形成された表示板（２０）と、
前記指標部を発光させる照明光を射出する表示光源（５４）と、
を備え、
前記終了遅延部は、
前記長針部の発光停止の実行に先行して前記表示光源の消灯を実行する請求項４に記載の表示装置。
【請求項６】
照明光によって発光し前記指針によって指示される指標部（２１）が形成された表示板（２０）と、
前記指標部を発光させる照明光を射出する表示光源（５４）と、
を備え、
前記制御部は、
車両の起動状態が終了した場合に、前記長針部の発光停止を実行し、前記長針部の発光停止の実行から遅延して前記短針部の発光停止を実行する終了遅延部（５０ａ４）と、
を有し、
前記起動遅延部は、
前記長針部の発光の実行から遅延して前記表示光源の点灯を実行する請求項１または請求項２に記載の表示装置。
【請求項７】
前記終了遅延部は、
前記長針部の発光停止の実行に先行して前記表示光源の消灯を実行する請求項６に記載の表示装置。
【請求項８】
前記指針は、
前記短針部（１４）において前記光源部から射出された照明光を視認側へと反射する短針反射面（１４ａ）と、
前記短針反射面よりも前記視認側に形成されて、前記長針部（１５）において前記光源部から射出された照明光を前記視認側へと反射する長針反射面（１５ａ）と、
前記短針反射面と対向する前記視認側の面である短針領域面（１３ａ１）と、
前記長針反射面と対向する前記視認側の面である長針領域面（１３ａ２）と、
を有し、
前記短針領域面と前記長針領域面とは面一に連続している請求項１から請求項７のいずれか１項に記載の表示装置。
【発明の詳細な説明】
【技術分野】
【０００１】
この明細書における開示は、表示装置に関する。
【背景技術】
【０００２】
特許文献１には、延伸方向に２つの発光領域が形成された指針を有する計器装置が開示されている。この指針は、第１出射面を有する第１導光部材と、第１出射面よりも回動軸から遠い位置に設けられた第２出射面を有する第２導光部材とを有する。計器装置には、第１導光部材に光を照射する第１発光素子と、第２導光部材に光を照射する第２発光素子と、第１発光素子および第２発光素子の点灯を制御する点灯回路が設けられている。計器装置は、２つの発光素子の点灯をそれぞれ制御することで、２つの出射面のそれぞれの発光状態を変更し、指針の表示モードを切り替える。
【先行技術文献】
【特許文献】
【０００３】
【特許文献１】特開平１１‐２８１４０９号公報
【発明の概要】
【発明が解決しようとする課題】
【０００４】
特許文献１には、車両の起動等による指針発光についての照明制御に関する開示がなされていない。したがって、特許文献１に開示された技術では、指針の異なる発光領域を利用して、指針発光についての斬新な演出をすることができない。
【０００５】
開示される目的は、指針発光における斬新な演出が可能な表示装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された表示装置のひとつは、回転軸線（Ｒａ）周りに回転する指針であって、照明光により発光する短針部（１４；２１４）および短針部よりも径方向外側まで延伸するように形成されて照明光により発光する長針部（１５；２１５）を有する指針（１００）と、短針部を発光させる照明光および長針部を発光させる照明光を射出する光源部（５２ａ）と、光源部の照明制御を行う制御部（５０ａ）と、を備え、制御部は、長針部の発光に先行して短針部の発光を実行し、短針部の発光の実行から遅延して長針部の発光を実行する起動遅延部（５０ａ２）を有する。
【０００８】
この開示によれば、表示装置は、短針部を発光し、短針部の発光から遅延して長針部を発光させる。これにより、視認者に対して、指針の発光領域が段階的に長くなるように視認させることができる。以上により、指針発光における斬新な見栄えと演出とが可能な表示装置を提供することができる。
【図面の簡単な説明】
【０００９】
【図１】第１実施形態に係る表示装置の正面図である。
【図２】図１のＩＩ‐ＩＩ線断面図である。
【図３】指針導光体を視認側から見た図である。
【図４】図３のＩＶ‐ＩＶ線断面図である。
【図５】指針導光体を反視認側から見た図である。
【図６】図５のＶＩ‐ＶＩ線断面図である。
【図７】指針キャップを視認側から見た図である。
【図８】図７のＶＩＩＩ‐ＶＩＩＩ線断面図である。
【図９】指針キャップを反視認側から見た図である。
【図１０】図９のＸ‐Ｘ線断面図である。
【図１１】表示装置の制御構成を示すブロック図である。
【図１２】車両が起動したときからの照明制御を示すフローチャートである。
【図１３】車両が起動したときからの照明制御のタイミングチャートである。
【図１４】表示装置における照明演出を示すイメージ図である。
【図１５】車両起動状態終了時の照明制御を示すフローチャートである。
【図１６】車両起動状態終了時の照明制御を示すタイミングチャートである。
【図１７】第２実施形態における指針を視認側から見た図である。
【図１８】図１７のＸＶＩＩＩ‐ＸＶＩＩＩ線断面図である。
【図１９】第２実施形態における指針を反視認側から見た図である。
【発明を実施するための形態】
【００１０】
（第１実施形態）
第１実施形態の表示装置１について、図１〜図１６を参照しながら説明する。表示装置１は、車両のコンビネーションメータとして提供される。表示装置１は、車両の運転席の前方で、表示面２０ａを運転席に向けて取り付けられている。以下において表示面２０ａに垂直な方向を奥行方向とし、奥行方向における運転席側を視認側、視認側と反対側を反視認側と表記する。表示装置１は、運転席に着座した乗員に対して所定の情報を表示する表示機能を提供する。表示装置１は、表示機能の一例として、車両の速度情報を表示するスピードメータとしての機能を有する。表示装置１は、図１において二点鎖線で示す領域Ａ内にて速度情報の表示機能を発揮する。
【００１１】
表示装置１は、回転軸線Ｒａ周りに回転する指針１００、表示面２０ａを有する表示板２０、表示導光体３０、基板５０およびこれらを収容する筐体７０を備えている。以下の説明において、回転軸線Ｒａを中心とした円周方向および径方向を、単に「周方向」および「径方向」と表記する。また、回転軸線Ｒａの延びる方向を単に「軸方向」と表記する。
【００１２】
筐体７０は、図２に示すようにガラス板７１、見返し板７２、アッパケース部７３およびロアケース部７４を備えて構成されている。ガラス板７１は、透光性の合成樹脂等により湾曲した板状に形成されている。ガラス板７１は、見返し板７２の視認側の開口を覆うように見返し板７２に対して取り付けられている。第１実施形態のガラス板７１は、例えば黒またはグレーに着色されて所定の透過率で光を透過させるスモークガラスとして提供される。
【００１３】
見返し板７２は、例えば合成樹脂等により形成され、表示面２０ａを全周取り囲む筒状に形成されている。見返し板７２は、例えば表示領域を挟んで下方側の部分が、上方側の部分よりもより視認側に張り出すように形成されている。見返し板７２は、表示板２０の外縁部分を視認側から抑え込み、アッパケース部７３に対して固定している。
【００１４】
アッパケース部７３は、例えば遮光性の合成樹脂等により形成されている。アッパケースは、見返し板７２とロアケース部７４との間で、収容された構成部品を取り囲んでいる。
【００１５】
ロアケース部７４は、例えばアッパケース部７３と同様に遮光性の合成樹脂等により形成されている。ロアケース部７４は、表示装置１の反視認側を覆う部材であり、基板５０等を反視認側から保持している。
【００１６】
指針１００は、回転軸線Ｒａ周りに回転して表示板２０上を指示する。指針１００は、指針導光体１０と、指針キャップ１９とを有している。
【００１７】
指針導光体１０は、透光性を有する材料によって一体に形成されている。図３〜図６に示すように、指針導光体１０は、軸部１１と、回動中心部１２と、指示部１３とを有して形成されている。
【００１８】
軸部１１は、奥行方向に延びる略円柱形状に形成されている。軸部１１は、表示板２０を奥行方向に貫通する配置で設けられている。軸部１１の中心軸線は、指針１００の回転軸線Ｒａと略一致している。換言すれば、軸部１１は指針１００の回転軸である。
【００１９】
回動中心部１２は、軸部１１の視認側の端部に設けられた部分である。回動中心部１２は、奥行方向の投影視で円形状であり、その中心が軸部１１の軸心と略一致している。回動中心部１２には、短針導光面１２ａと、長針導光面１２ｂとが形成されている。
【００２０】
短針導光面１２ａは、回動中心部１２において、奥行方向に軸部１１を投影した範囲よりも径方向で外側に形成された傾斜面である。短針導光面１２ａは、図４に示すように、反視認側から視認側に向かうにつれて回転軸線Ｒａに接近するように、軸方向および指示部１３の延伸方向に対して傾斜している。短針導光面１２ａは、反視認側から回動中心部１２に入射した照明光を、指示部１３に向けて反射する反射面を提供する。
【００２１】
長針導光面１２ｂは、短針導光面１２ａよりも視認側で回動中心部１２の中心付近に形成された傾斜面である。長針導光面１２ｂは、図４に示すように、反視認側から視認側に向かうにつれて指示部１３に接近するように、軸方向および指示部１３の延伸方向に対して傾斜している。長針導光面１２ｂは、軸部１１から回動中心部１２に進入した照明光を指示部１３に向けて反射する反射面を提供する。
【００２２】
指示部１３は、回動中心部１２から径方向外側に突出するように延伸した部分である。指示部１３は、延伸方向先端側に向かうにつれて幅寸法が徐々に小さくなる針状に形成されている。指示部１３は、短針部１４と長針部１５を有して形成されている。指示部１３は、視認側の面である視認側面１３ａを有する。
【００２３】
短針部１４は、段差面１６と短針底部１４ａとを有する。短針底部１４ａは、短針部１４において指示部１３の反視認側の面を提供する。短針底部１４ａは、回動中心部１２における短針導光面１２ａの反視認側の端部と奥行方向において略同じ位置となっている。短針底部１４ａには、その全長にわたって微細加工に基づく反射部１４ｂが施されており、短針導光面１２ａから反射された照明光を視認側に反射可能である。短針部１４は、照明光を反射部１４ｂにて反射することで発光する。反射部１４ｂは、図４に示すように、短針底部１４ａの外表面から内側に向かって形成された微細な多数の断面三角柱状の凹部の集合体によって構成されており、短針部１４に導光された照明光をその凹部の斜面にて視認側へ反射するものである。この凹部の集合体は照明光が消灯されている場合には人の目に見えない程度の大きさに設定されている。短針底部１４ａは、短針反射面の一例である。
【００２４】
段差面１６は、指示部１３の反視認側の面に形成されている。段差面１６は、短針導光面１２ａから反射された照明光が長針部１５に進入することを抑制する。段差面１６は、短針部１４の先端を規定している。
【００２５】
長針部１５は、その自由端が短針部１４よりも径方向外側まで延出し、短針部１４よりも相対的に長い寸法を有している。長針部１５は、径方向で後述の指標部２１における目盛指標付近まで延びている。長針部１５は、短針部１４に対して厚みが小さくなるように形成されている。長針部１５の底部である長針底部１５ａは、短針底部１４ａよりも反視認側に位置している。長針底部１５ａは、長針導光面１２ｂの反視認側の端部と奥行方向で略同じ位置に形成されている。長針底部１５ａは、段差面１６を介して短針底部１４ａと接続されている。長針底部１５ａには、短針底部１４ａと同様に微細加工に基づく反射部１５ｂが施されている。反射部１５ｂは、長針底部１５ａの略全長にわたって設けられている。より具体的には、反射部１５ｂは、長針底部１５ａのうち短針部１４の段差面１６から延出する自由端側の領域も含めて、軸部１１に接続される領域を除いた短針部１４と対面する領域に亘って施されている。長針底部１５ａは、長針導光面１２ｂにて反射された軸部光源５２からの照明光を反射部１５ｂにて視認側へと反射させることで発光する。長針底部１５ａは、長針反射面の一例である。
【００２６】
視認側面１３ａは、指示部１３の視認側の平面である。視認側面１３ａは、短針底部１４ａと奥行方向で対向する領域である短針領域面１３ａ１と、長針底部１５ａと奥行方向で対向する領域である長針領域面１３ａ２とを有している。視認側面１３ａは、短針領域面１３ａ１にて、短針底部１４ａから反射された照明光を外部へと射出する。視認側面１３ａは、長針領域面１３ａ２にて、長針底部１５ａから反射された照明光を外部へと射出する。長針領域面１３ａ２と短針領域面１３ａ１とは、段差なく連続するように形成され、所謂面一の関係となっている。
【００２７】
指針キャップ１９は、黒色に着色されたポリプロピレン樹脂やＡＢＳ樹脂などの遮光性の樹脂材料により形成されている。指針キャップ１９は、指針導光体１０の回動中心部１２および指示部１３を覆う部材である。指針キャップ１９は、図７〜図１０に示すように円筒壁部１９ａ、延伸壁部１９ｂ、ピン１９ｃを有している。円筒壁部１９ａは、反視認側に開口した有底の円筒形状に形成されている部分である。円筒壁部１９ａは、回動中心部１２を視認側から覆っている。延伸壁部１９ｂは、円筒壁部１９ａの側壁から径方向外側に延伸するように形成されている。延伸壁部１９ｂは、指示部１３の側面を覆う側壁を提供する。ピン１９ｃは、円筒壁部１９ａの底部における反視認側の面から突出するように形成されている。ピン１９ｃは、回転軸線Ｒａを挟んで２つ設けられている。ピン１９ｃは、それぞれ対応する貫通孔１２ｃに挿通される。短針部１４および長針部１５は、この貫通孔１２ｃに指針キャップ１９のピン１９ｃを通して貫通孔１２ｃから露出したピン１９ｃの先端を熱かしめすることによって、指針キャップ１９に固定されるとともに、短針部１４および長針部１５同士が互いに位置ずれすることなく固定される。
【００２８】
表示板２０は、例えば合成樹脂材料等からなる透光性の基材を成形することで形成されている。表示板２０は、全体として略平板状に形成されている。表示板２０には、指針１００の軸部１１が挿通される開口部２０ｂが形成されている。表示板２０には、指標部２１が形成されている。
【００２９】
指標部２１は、透光性の塗料を用いた印刷等により形成されている。指標部２１は、指針１００の軸部１１周りに円弧状に配列されるように形成されている。指標部２１は、例えば所定の間隔で設けられた目盛指標と、目盛指標の内周側で対応する目盛指標が示す速度値を数字で表す数字指標とを含む。
【００３０】
表示導光体３０は、透光性の合成樹脂等により一体物として形成されている。表示導光体３０は、表示板２０と基板５０との間に設けられている。表示導光体３０は、導光板部３５、表示導入部３１、内周導入部３３、内周反射部３４および射出端部３６を有する。
【００３１】
導光板部３５は、円環平板形状に形成された部分である。導光板部３５は、軸部１１を中心に取り囲むように設けられている。導光板部３５は、表示板２０の反視認側の面に沿って広がるように設けられている。導光板部３５は、表示板２０における指標部２１が形成された領域を反視認側から覆うように配置されている。導光板部３５の内周縁は、表示板２０の開口部２０ｂよりも軸部１１に近接している。換言すれば、導光板部３５は開口部２０ｂから視認側に露出している。
【００３２】
表示導入部３１は、導光板部３５の外周端部から反視認側に延びる柱状に形成されている。表示導入部３１は、表示光源５４と同数形成されている。複数の表示導入部３１の端部は、それぞれ対応する表示光源５４に近接している。表示導入部３１は、表示光源５４から射出された照明光を導光板部３５へと導く。
【００３３】
内周導入部３３は、導光板部３５の反視認側の面から反視認側へと延びる柱状に形成されている。内周導入部３３は、内周光源５３と同数形成されている。複数の内周導入部３３の端部は、それぞれ対応する内周光源５３に近接している。内周導入部３３は、導光板部３５における表示板２０の指標部２１と対応する領域よりも内周側に設けられている。内周導入部３３は、内周光源５３から射出された照明光を導光板部３５へと導く。
【００３４】
内周反射部３４は、導光板部３５の視認側の面に形成された溝の一部である。より具体的には、内周反射部３４は、軸部１１を取り囲むように形成された溝の内周側の壁面であり、反視認側から視認側に向かうにしたがって軸部１１に近づくように傾斜する傾斜面である。内周反射部３４は、少なくとも内周導入部３３の根元部に奥行方向で向かい合う領域に設けられている。内周反射部３４は、内周導入部３３から導入された照明光を射出端部３６に向けて反射する反射面として機能する。
【００３５】
射出端部３６は、導光板部３５における指針１００の軸部１１側の端部である。射出端部３６は、表示板２０の開口部２０ｂよりも径方向で軸部１１に近接するように形成され、ており、平面視で円形状の開口を形成している。射出端部３６には、導光板部３５の内部を導光した照明光を、視認側へと反射する反射面が形成されている。射出端部３６は、反射面にて照明光を視認側へと反射させ、指針１００の回動中心部１２へと射出する。
【００３６】
アッパケース部７３は、表示導光体３０と基板５０との間に遮光壁部７３ａを有している。遮光壁部７３ａの反視認側の端部は、基板５０の視認側の面に接触している。遮光壁部７３ａの視認側の端部は、導光板部３５の反視認側の面に接触している。遮光壁部７３ａの視認側の端部は、導光板部３５の反視認側の面に沿って広がる平板上の壁部に連続している。遮光壁部７３ａは、径方向において表示板２０の指標部２１よりも内周側で、内周光源５３および内周導入部３３を取り囲むように形成されている。遮光壁部７３ａは、内周光源５３および内周導入部３３に近接して設けられている。遮光壁部７３ａは、内周光源５３から射出された照明光の指標部２１への到達を阻害する。
【００３７】
基板５０は、樹脂やセラミックスなどの絶縁材料により平板状に形成された絶縁基材に、銅などの導電性材料による配線パターンを設けたプリント配線基板である。基板５０は、一面を視認側に向け、他面を反視認側に向ける姿勢で表示導光体３０の反視認側に配置されている。基板５０には、ステッパモータ５１、光源部５２ａ、複数の表示光源５４および制御部５０ａが設けられている。
【００３８】
ステッパモータ５１は、指針１００を回動させるモータである。ステッパモータ５１は、基板５０の視認側の面上に設けられ、指針１００の軸部１１と連結されている。ステッパモータ５１は、制御部５０ａと電気的に接続され、制御部５０ａによってその駆動を制御される。ステッパモータ５１は、軸部１１を回転駆動することで、指針１００全体を回転軸線Ｒａ周りに回動させる。
【００３９】
光源部５２ａは、軸部光源５２および複数の内周光源５３を含む。軸部光源５２、複数の内周光源５３、複数の表示光源５４は、それぞれＬＥＤ（発光ダイオード）によって提供される。光源５２、５３、５４は、それぞれ基板５０の視認側の面上に設けられている。光源５２、５３、５４は、それぞれ制御部５０ａと電気的に接続されており、制御部５０ａによってその点灯および消灯を制御される。
【００４０】
軸部光源５２は、軸部１１の反視認側の端部と対向する位置に設けられている。軸部光源５２は、長針部１５を発光させる照明光を射出する。軸部光源５２は、長針光源の一例である。
【００４１】
複数の内周光源５３は、それぞれ表示導光体３０における内周導入部３３の反視認側の端部と対向する位置に設けられている。複数の内周光源５３は、指針１００の短針部１４を発光させる照明光を射出する短針光源の一例である。
【００４２】
複数の表示光源５４は、径方向において複数の内周光源５３より外周側で、それぞれ対応する表示導入部３１の反視認側の端部と対向する位置に設けられている。複数の表示光源５４は、指標部２１を発光させる照明光を射出する光源の一例である。
【００４３】
制御部５０ａは、例えばマイクロコントローラなどにより構成されている。制御部５０ａは、車両で用いられているエンジンＥＣＵやボデーＥＣＵなどから表示装置１に表示させる車両情報を取得する。制御部５０ａは、車両情報に従って、ステッパモータ５１の回転制御および光源５２、５３、５４の輝度制御などを行う。制御部５０ａは図１１に示すように、機能ブロックとして起動遅延部５０ａ２、終了遅延部５０ａ４を有する。
【００４４】
起動遅延部５０ａ２は、イグニッションスイッチ６０がＯＮされたと判定された場合、起動演出を実行する。乗員によるイグニッションスイッチ６０のＯＮに基づいて例えば光源５２、５３と電源とを接続するリレー等のスイッチ手段がＯＮ状態となり、光源５２、５３への電力が供給される状態となる。ここで起動遅延部５０ａ２は、光源５２、５３に電力が供給される際に光源５２への電力供給時期に対して光源５３への電力供給時期を遅延させる。これにより、まず指針１００の発光領域が段階的に長くなるように発光し、その後に指標部２１が発光するように指針１００の発光と指標部２１の発光とを時間的に遅延させる。より具体的には、起動遅延部５０ａ２は、まず内周光源５３の点灯を実行し、内周光源５３の点灯の実行から遅延して軸部光源５２の点灯を実行し、さらに軸部光源５２の点灯から遅延して表示光源５４の点灯を実行する点灯制御を実施する。
【００４５】
終了遅延部５０ａ４は、イグニッションスイッチ６０がＯＦＦされたと判定された場合に、終了演出を実行する。乗員によるイグニッションスイッチ６０のＯＦＦに基づいてまず指標部２１の発光が停止し、その後に指針１００の発光領域が段階的に短くなり、最終的に指針１００の発光が停止するように時間的に遅延させる。より具体的には、終了遅延部５０ａ４は、まず表示光源５４の消灯を実行し、表示光源５４の消灯の実行から遅延して軸部光源５２の消灯を実行し、さらに軸部光源５２の消灯から遅延して内周光源５３の消灯を実行する消灯制御を実施する。
【００４６】
なお、イグニッションスイッチ６０とは一般的にはキースイッチ、スタートスイッチ、点火スイッチとも呼称されている。キースイッチ、点火スイッチはいわゆる携帯可能なキー式であり、スタートスイッチは車両自体に固定されているいわゆる押しボタン式である。
【００４７】
次に、第１実施形態において制御部５０ａが実行する制御の一例について、図１２〜図１６を参照しながら説明する。まず、車両の起動時に制御部５０ａが実行する照明制御の一例を図１２のフローチャートを参照して説明する。
【００４８】
まずステップＳ１０で、イグニッションスイッチ６０（図１２のＩＧ参照）がＯＮ状態であるか否かを判定する。ＯＮ状態であると判定すると、ステップＳ１１へと進む。
【００４９】
ステップＳ１１では、イグニッションスイッチ６０がＯＦＦ状態からＯＮ状態へと切り替わった時点からの経過時間ｔが、所定時間ｔｓ１に到達したか否かを判定する。ステップＳ１１の判定処理は、経過時間ｔが所定時間ｔｓ１に到達するまで繰り返される。経過時間ｔが所定時間ｔｓ１に到達したと判定した場合には、ステップＳ１２へと進む。
【００５０】
ステップＳ１２では、内周光源５３を点灯する。これにより、指針１００の短針部１４が発光を開始する。なおこのとき表示光源５４および軸部光源５２は消灯状態である。ステップＳ１３の処理を実行後、ステップＳ１３へと進む。
【００５１】
ステップＳ１３では、イグニッションスイッチ６０がＯＦＦ状態からＯＮ状態へと切り替わった時点からの経過時間ｔが、所定時間ｔｓ１＋ｔｓ２に到達したか否かを判定する。換言すれば、ステップＳ１３では、内周光源５３の点灯処理が実行されてから経過した時間が所定時間ｔｓ２に到達したか否かを判定する。ステップＳ１３の判定処理は、経過時間ｔが所定時間ｔｓ１＋ｔｓ２に到達するまで繰り返される。経過時間ｔが所定時間ｔｓ１＋ｔｓ２に到達したと判定した場合には、ステップＳ１４へと進む。第１実施形態において時間ｔｓ２は、時間ｔｓ１よりも長い。
【００５２】
ステップＳ１４では、軸部光源５２を点灯させる処理を実行する。これにより、指針１００の指示部１３が根元から長針部１５の先端まで発光する。このとき内周光源５３は点灯状態である。または、軸部光源５２の点灯と同時に内周光源５３を消灯状態としてもよい。またこのとき、表示光源５４は消灯状態である。このため、ステップＳ１４の処理を実行した時点では、領域Ａ内において指針１００のみが発光により視認可能な状態となる。ステップＳ１４の処理を実行すると、ステップＳ１５へと進む。
【００５３】
ステップＳ１５では、経過時間ｔが、所定時間ｔｓ１＋ｔｓ２＋ｔｓ３に到達したか否かを判定する。換言すれば、ステップＳ１５では、軸部光源５２の点灯処理が実行されてから経過した時間が所定時間ｔｓ３に到達したか否かを判定する。ステップＳ１５の判定処理は、経過時間ｔが所定時間ｔｓ１＋ｔｓ２＋ｔｓ３に到達するまで繰り返される。経過時間ｔが所定時間ｔｓ１＋ｔｓ２＋ｔｓ３に到達したと判定した場合には、ステップＳ１６へと進む。第１実施形態において時間ｔｓ３は、時間ｔｓ２と同程度の長さである。
【００５４】
ステップＳ１６では、表示光源５４を点灯し、指標部２１を発光させる。ステップＳ１６の処理を実行した後、図１２のフローチャートを終了する。ステップＳ１１〜ステップＳ１６までの処理が、起動遅延部５０ａ２の発揮する機能に相当する。
【００５５】
図１２のフローチャートにおける処理の実行に伴う各光源５２、５３、５４の発光タイミングについて図１３のタイミングチャートを参照して説明する。制御部５０ａは、イグニッションスイッチ６０がＯＮ状態となった時点から時間ｔｓ１だけ経過した時点で内周光源５３を点灯させる。制御部５０ａは、内周光源５３の点灯から時間ｔｓ２だけ遅延させて軸部光源５２を点灯させる。次に、軸部光源５２の点灯から時間ｔｓ３だけ遅延させて表示光源５４を点灯させる。第１実施形態において制御部５０ａは、各光源５２、５３、５４を点灯処理する際に、消灯状態から点灯状態へと瞬時に切り替える。
【００５６】
ここまで説明したイグニッションスイッチ６０がＯＮ状態となったときからの演出制御による表示装置１の発光状態の変化について、図１４を参照しながら説明する。
【００５７】
領域Ａにおける発光状態は、図１４の実線の矢印で示した順に変化する。すなわち、イグニッションスイッチ６０がＯＮされる前のＯＦＦ時において、内周光源５３、軸部光源５２および表示光源５４は消灯状態であるため、図１４の左端に示すように指針１００および指標部２１は非発光状態である。
【００５８】
イグニッションスイッチ６０がＯＮ状態になってから時間ｔｓ１後に内周光源５３が点灯すると、内周光源５３から射出された照明光は、内周導入部３３内を導光し、内周反射部３４にて反射される。反射された照明光は射出端部３６から回動中心部１２へと入射し、短針導光面１２ａにて反射されて指示部１３へと向かう。指示部１３を導光する照明光は、全体として段差面１６側へと向かいつつ短針底部１４ａの反射部１４ｂにて反射される。反射された照明光は、長針部１５のうち短針底部１４ａと対向する領域を通過して視認側へと指向される。一方で段差面１６に到達した照明光は、短針底部１４ａの方向へ戻されるため、段差面１６によって長針部１５の短針部１４よりも径方向外側へ延出した部分への進入を阻害される。
【００５９】
したがって内周光源５３が点灯すると、図１４の左から２番目に示すように、指示部１３における短針部１４に相当する領域が発光し、長針部１５および指標部２１は発光しない。
【００６０】
次に、内周光源５３の点灯から時間ｔｓ２経過して軸部光源５２が点灯すると、軸部光源５２から射出された照明光は、軸部１１内を全反射しながら視認側へと向かい回動中心部１２へと入射し、長針導光面１２ｂにて反射されて指示部１３へと向かう。指示部１３を導光する照明光は、全体として長針部１５の先端側へと向かいつつ反射部１５ｂで視認側へと反射される。
【００６１】
したがって、軸部光源５２からの照明光によって、図１４の左から３番目に示すように、指示部１３における短針部１４に相当する領域および長針部１５に相当する領域がともに発光する。これにより、指針１００の発光領域が、短針部１４のみから、短針部１４および長針部１５の両方へと変化する。すなわち、短針部１４の発光から時間的に遅延して長針部１５が発光し、指針１００の発光領域が段階的に長くなるように視認される。
【００６２】
次に、軸部光源５２の点灯から時間ｔｓ３経過して表示光源５４が点灯すると、表示光源５４から射出された照明光は、導光板部３５内を導光されつつ視認側に射出されて指標部２１を発光させる。したがって、表示光源５４からの照明光によって、図１４の右端に示すように、指標部２１が発光する。これにより、指針１００の発光領域が段階的に長くなった後に、遅れて指標部２１が発光するように視認される。
【００６３】
次にイグニッションスイッチ６０がＯＦＦ状態になってからの制御部５０ａが実行する照明制御の一例を図１５のフローチャートを参照して説明する。
【００６４】
まずステップＳ２０で、イグニッションスイッチ６０（ＩＧ）がＯＦＦ状態であるか否かを判定する。ＯＮ状態であると判定すると、ステップＳ２１へと進む。
【００６５】
ステップＳ２１では、イグニッションスイッチ６０がＯＮ状態からＯＦＦ状態へと切り替わった時点からの経過時間ｔが、所定時間ｔｅ１に到達したか否かを判定する。ステップＳ２１の判定処理は、経過時間ｔが所定時間ｔｅ１に到達するまで繰り返される。経過時間ｔが所定時間ｔｅ１に到達したと判定した場合には、ステップＳ２２へと進む。
【００６６】
ステップＳ２２では、表示光源５４を消灯する。これにより、指標部２１が発光を停止する。なおこのとき内周光源５３および軸部光源５２は点灯状態である。ステップＳ２２の処理を実行後、ステップＳ２３へと進む。
【００６７】
ステップＳ２３では、イグニッションスイッチ６０がＯＮ状態からＯＦＦ状態へと切り替わった時点からの経過時間ｔが、所定時間ｔｅ１＋ｔｅ２に到達したか否かを判定する。換言すれば、ステップＳ２３では、表示光源５４の消灯処理が実行されてから経過した時間が所定時間ｔｅ２に到達したか否かを判定する。ステップＳ２３の判定処理は、経過時間ｔが所定時間ｔｅ１＋ｔｅ２に到達するまで繰り返される。経過時間ｔが所定時間ｔｅ１＋ｔｅ２に到達したと判定した場合には、ステップＳ２４へと進む。第１実施形態において時間ｔｅ２は、時間ｔｅ１よりも長い。
【００６８】
ステップＳ２４では、軸部光源５２を消灯させる処理を実行する。これにより、指針１００の指示部１３が短針部１４の先端から長針部１５の先端まで発光を停止する。なおこのとき、内周光源５３は点灯状態である。ステップＳ２４の処理を実行すると、ステップＳ２５へと進む。
【００６９】
ステップＳ２５では、経過時間ｔが、所定時間ｔｅ１＋ｔｅ２＋ｔｅ３に到達したか否かを判定する。換言すれば、ステップＳ２５では、軸部光源５２の消灯処理が実行されてから経過した時間が所定時間ｔｅ３に到達したか否かを判定する。ステップＳ２５の判定処理は、経過時間ｔが所定時間ｔｅ１＋ｔｅ２＋ｔｅ３に到達するまで繰り返される。経過時間ｔが所定時間ｔｅ１＋ｔｅ２＋ｔｅ３に到達したと判定した場合には、ステップＳ２６へと進む。第１実施形態において時間ｔｅ３は、時間ｔｅ２と同程度の長さである。
【００７０】
ステップＳ２６では、内周光源５３を処理し、短針部１４の発光を停止させる。ステップＳ２６の処理を実行した後、図１２のフローチャートを終了する。ステップＳ２１〜ステップＳ２６までの処理が、終了遅延部５０ａ４の発揮する機能に相当する。
【００７１】
図１５のフローチャートにおける処理の実行に伴う各光源５２、５３、５４の発光タイミングについて図１６のタイミングチャートを参照して説明する。制御部５０ａは、イグニッションスイッチ６０がＯＦＦ状態になった時点から時間ｔｅ１だけ経過した時点で表示光源５４を消灯させる。制御部５０ａは、表示光源５４の消灯から時間ｔｅ２だけ遅延させて、軸部光源５２を消灯させる。次に制御部５０ａは、軸部光源５２の消灯から時間ｔｅ３だけ遅延させて、内周光源５３を消灯させる。第１実施形態において制御部５０ａは、各光源５２、５３、５４を消灯処理する際に、点灯状態から消灯状態へと瞬時に切り替える。
【００７２】
図１４に戻り、ここまで説明したイグニッションスイッチ６０がＯＦＦ状態となってからの演出制御による表示装置１の発光状態の変化について説明する。
【００７３】
イグニッションスイッチ６０がＯＦＦ状態となった後の領域Ａにおける発光状態は、図１４の破線の矢印で示した順に変化する。すなわち、車両の停止前において、内周光源５３、軸部光源５２および表示光源５４は点灯状態であるため、図１４の右端に示すように指針１００および指標部２１は発光状態である。
【００７４】
車両が停止して時間ｔｅ１後に表示光源５４が消灯すると、図１４の右から２番目に示すように、指標部２１が発光を停止し、領域Ａ内において指針１００のみが発光した状態となる。
【００７５】
次に、表示光源５４の点灯から時間ｔｅ２経過して軸部光源５２が消灯すると、図１４の右から３番目に示すように、指示部１３における長針部１５の先端から短針部１４の先端までの領域が発光を停止する。これにより、指針１００の発光領域が、短針部１４および長針部１５の両方から、短針部１４のみへと変化する。
【００７６】
次に、軸部光源５２の消灯から時間ｔｅ３経過して内周光源５３が消灯すると、図１４の左端に示すように、短針部１４が発光を停止する。長針部１５の発光停止が短針部１４の発光停止に遅延して実行されることで、指針１００の発光領域が段階的に短くなり、最終的に消滅するように視認される。
【００７７】
次に第１実施形態の表示装置１の構成と、表示装置１がもたらす作用効果について説明する。
【００７８】
表示装置１は、回転軸線Ｒａ周りに回転し、照明光により発光する短針部１４および短針部１４よりも径方向外側まで延伸するように形成されて照明光により発光する長針部１５を有する指針１００を備える。表示装置１は、短針部１４を発光させる照明光を射出する内周光源５３と、長針部１５を発光させる照明光を射出する軸部光源５２と、内周光源５３および軸部光源５２の照明制御を行う制御部５０ａとを備える。制御部５０ａは、イグニッションスイッチ６０がＯＮ状態となった場合に、内周光源５３の点灯を実行し、内周光源５３の点灯の実行から遅延して軸部光源５２の点灯を実行する起動遅延部５０ａ２を有する。
【００７９】
これによれば、表示装置１は、車両が起動すると、短針部１４を発光し、短針部１４の発光から遅延して長針部１５を発光させる。これにより、視認者に対して、指針１００の発光領域が段階的に長くなるように視認させることができる。以上により、車両が起動したときからの斬新な演出が可能な表示装置１を提供することができる。
【００８０】
表示装置１は、照明光によって発光し指針１００によって指示される指標部２１が形成された表示板２０と、指標部２１を発光させる照明光を射出する表示光源５４とを備える。起動遅延部５０ａ２は、軸部光源５２の点灯の実行から遅延して表示光源５４の点灯を実行する。
【００８１】
これによれば、表示装置１は、イグニッションスイッチ６０がＯＮ状態になると、長針部１５の発光から遅延させて指標部２１を発光させる。したがって、視認者に対して、指標部２１の発光に先行して指針１００の発光領域が段階的に長くなるように視認させることができる。すなわち、指標部２１が発光していない状態で指針１００の発光領域が段階的に長くなる演出を実行するので、この演出をより際立たせることが可能となり、演出の斬新性を高めることができる。
【００８２】
制御部５０ａは、車両の起動状態が終了した場合に、軸部光源５２の消灯を実行し、軸部光源５２の消灯の実行から遅延して内周光源５３の消灯を実行する終了遅延部５０ａ４を有する。
【００８３】
これによれば、表示装置１は、イグニッションスイッチ６０がＯＦＦ状態になると、長針部１５の発光を停止し、長針部１５の発光の停止から遅延して短針部１４の発光を停止させる。これにより、視認者に対して、指針１００の発光領域が段階的に短くなるように視認させることができる。以上により、車両終了時に斬新な演出が可能な表示装置１を提供することができる。
【００８４】
終了遅延部５０ａ４は、軸部光源５２の消灯の実行に先行して表示光源５４の消灯を実行する。これによれば、表示装置１は、車両の起動状態の終了時に、長針部１５の発光の停止に先行して指標部２１の発光を停止させる。したがって、視認者に対して、指標部２１の発光を停止させた後に指針１００の発光領域が段階的に短くなるように視認させることができる。すなわち、指標部２１が発光していない状態で指針１００の発光領域が段階的に短くなる演出を実行するので、この演出をより際立たせることが可能となり、演出の斬新性を高めることができる。
【００８５】
指針１００は、短針部１４において内周光源５３から射出された照明光を視認側へと反射する短針底部１４ａと、短針底部１４ａよりも視認側に形成されて、長針部１５において軸部光源５２から射出された照明光を視認側へと反射する長針底部１５ａとを有する。指針１００は、短針底部１４ａにて反射された照明光および長針底部１５ａにて反射された照明光を外部へと射出する、面一に形成された視認側面１３ａを有する。
【００８６】
これによれば、指針１００は、短針底部１４ａにて反射された照明光と、長針底部１５ａにて反射された照明光とを、いずれも面一に形成された視認側面１３ａから視認側へと射出することができる。すなわち、長針部１５および短針部１４を有する指針１００であっても、視認側面１３ａが面一であるため、視認側から視認した場合の見栄えを向上できる。
【００８７】
（第２実施形態）
第２実施形態では、第１実施形態における表示装置１の変形例について説明する。図１７〜図１９において第１実施形態の図面中と同一符号を付した構成要素は、同様の構成要素であり、同様の作用効果を奏するものである。
【００８８】
第２実施形態の指針導光体１０において、短針導光面２１２ａは、長針導光面２１２ｂよりも奥行方向で視認側に形成されている。短針導光面２１２ａは、回動中心部１２の外周の略全周にわたって形成されたテーパ面である。短針導光面２１２ａは、視認側に向かうにつれて径が小さくなる形状であり、反視認側から回動中心部１２に入射した照明光を指示部１３に向けて反射する反射面を提供する。
【００８９】
長針導光面２１２ｂは、短針導光面２１２ａよりも反視認側で回動中心部１２の中心付近に形成された傾斜面である。長針導光面２１２ｂは、反視認側から視認側に向かうにつれて指示部１３に接近するように、軸方向および指示部１３の延伸方向に対して傾斜している。長針導光面２１２ｂは、軸部１１から回動中心部１２に進入した照明光を指示部１３に向けて反射する反射面を提供する。
【００９０】
短針部２１４は、奥行方向で長針部２１５の視認側に設けられている。段差面２１６は、指示部１３の視認側に位置している。段差面２１６の反視認側の端部は、短針導光面２１２ａの反視認側の端部と略同じ位置となっている。
【００９１】
長針部２１５は、反視認側の面、すなわち長針底部２１５ａが長針導光面２１２ｂの反視認側の端部と奥行方向で略同じ位置となるように形成されている。長針底部１５ａには、短針底部１４ａと同様に微細加工の施された反射部２１５ｂが形成されている。長針部１５は、長針導光面１２ｂにて反射された軸部光源５２からの照明光を長針底部１５ａにて視認側へと反射させることで発光する。
【００９２】
指針キャップ２１９は、黒色に着色されたポリプロピレン樹脂やＡＢＳ樹脂などの遮光性の樹脂材料により有底の円筒状に形成されている。指針キャップ２１９は、開口を反視認側に向けて回動中心部１２を覆っている。
【００９３】
第２実施形態の指針導光体１０において、内周光源５３から射出された照明光は、短針導光面２１２ａにて反射され、全体として段差面２１６へと向かいつつ短針部２１４内部を導光する。照明光の一部は、短針導光面２１２ａにて反射されて短針部２１４の視認側の面から射出されることで、短針部２１４を発光させる。また、軸部光源５２から射出された照明光は、長針導光面２１２ｂにて長針部２１５に向けて反射される。照明光は、全体として長針部２１５の先端へと向かいつつ、長針底部２１５ａにて視認側へと反射され、指示部１３全体を発光させる。
【００９４】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【００９５】
上述の実施形態において、長針部１５の反射部１５ｂは、短針部１４の段差面１６よりも径方向外側に延出する領域および短針部１４と奥行方向に対向する領域に形成されているとした。これに代えて、長針部１５のうち短針部１４の段差面１６から延出する自由端側の底部のみに反射部１５ｂを形成してもよい。この場合には、長針部１５の全体を発光させるためには、導光面１２ａと導光面１２ｂの両方に照明光を入射させる。これにより、短針部１４の反射部１４ｂで反射して視認側に指向する光と、長針部１５の自由端側の反射部１５ｂで反射して視認側に指向する光との合成により長針部１５の全長が発光しているように視認される。
【００９６】
上述の実施形態において、各光源５２、５３、５４を点灯処理する際には、消灯状態から点灯状態へと瞬間的に切り替えるとしたが、これに代えて消灯状態から徐々に輝度が大きくなるように点灯処理してもよい。また消灯処理についても同様に、点灯状態から消灯状態へと瞬間的に切り替える代わりに、点灯状態から徐々に輝度が小さくなるように消灯処理してもよい。
【００９７】
上述の実施形態において、起動遅延部５０ａ２は、まず内周光源５３の点灯を実行し、内周光源５３の点灯の実行から遅延して軸部光源５２の点灯を実行し、さらに軸部光源５２の点灯から遅延して表示光源５４の点灯を実行するとした。これに代えて起動遅延部５０ａ２は、表示光源５４の点灯を、軸部光源５２の点灯と同時または軸部光源５２の点灯に先行して実行してもよい。例えば、起動遅延部５０ａ２は、内周光源５３と軸部光源５２とを同時に点灯させ、短針部１４と指標部２１とが同時に発光するように点灯制御してもよい。
【００９８】
上述の実施形態において、終了遅延部５０ａ４は、まず表示光源５４の消灯を実行し、表示光源５４の消灯の実行から遅延して軸部光源５２の消灯を実行し、さらに軸部光源５２の消灯から遅延して内周光源５３の消灯を実行するとした。これに代えて終了遅延部５０ａ４は、表示光源５４の点灯を、軸部光源５２の点灯と同時または軸部光源５２の点灯に遅延して実行してもよい。
【００９９】
上述の実施形態において、反射部１４ｂ、１５ｂは微細加工によって形成されているとしたが、反射部１４ｂ、１５ｂの構成はこれに限定されない。例えば、反射部１４ｂ、１４ｂはシボ加工によって形成されていてもよい。
【０１００】
上述の実施形態において、起動遅延部５０ａ２は、光源５２、５３への電力が供給される状態となった場合に、起動演出を開始するとした。これに代えて、例えば起動遅延部５０ａ２は、車両の起動スイッチから出力された起動信号が制御部５０ａにて受信された場合に起動演出を開始する構成であってもよい。  上述の実施形態において、イグニッションスイッチ６０がＯＮされると、指針１００の長さが段階的に長く視認されるように発光制御しているが、例えば車両のドアを開いたときに指針の発光制御を行ってもよい。あるいは座席に座席スイッチを設けて乗員が座席に着座したときに指針の発光制御を行うようにしてもよい。
【符号の説明】
【０１０１】
１  表示装置、  １００  指針、  １３ａ  視認側面、  １３ａ１  短針領域面、  １３ａ２  長針領域面、  １４、２１４  短針部、  １４ａ  短針底部（短針反射面）、  １５、２１５  長針部、  １５ａ  長針底部（長針反射面）、  ２０  表示板、  ２１  指標部、  ５０ａ  制御部、  ５０ａ２  起動遅延部、  ５０ａ４  終了遅延部、  ５２ａ  光源部、  ５２  軸部光源（長針光源）、  ５３  内周光源（短針光源）、  ５４  表示光源、  Ｒａ  回転軸線。
【図１】
2020016539.tif 000003
【図２】
2020016539.tif 000004
【図３】
2020016539.tif 000005
【図４】
2020016539.tif 000006
【図５】
2020016539.tif 000007
【図６】
2020016539.tif 000008
【図７】
2020016539.tif 000009
【図８】
2020016539.tif 000010
【図９】
2020016539.tif 000011
【図１０】
2020016539.tif 000012
【図１１】
2020016539.tif 000013
【図１２】
2020016539.tif 000014
【図１３】
2020016539.tif 000015
【図１４】
2020016539.tif 000016
【図１５】
2020016539.tif 000017
【図１６】
2020016539.tif 000018
【図１７】
2020016539.tif 000019
【図１８】
2020016539.tif 000020
【図１９】
2020016539.tif 000021